(57)【特許請求の範囲】
【請求項１】
建築構造物に設置された枠体と、この枠体の長手方向両端部に設けた乗降床と、これら乗降床間を無端状に連結されて循環回動する踏段と、この踏段を駆動する駆動装置と、前記踏段の回動方向に沿って左右に対向する欄干を備えた乗客コンベアにおいて、前記枠体は、左右一対の鋼板と、少なくとも踏段走行用レールの取付面を有する左右一対のベースを備え、前記左右一対の鋼板は上面と側面と下面とを有し、前記鋼板と前記ベースとが前記上面と前記側面と前記下面の３方向で機械的に接合されていることを特徴とする乗客コンベア。
【請求項２】
請求項１において、前記左右一対の鋼板を連結する連結材を有し、この連結材が、前記鋼板と機械的に接合されていることを特徴とする乗客コンベア。
【請求項３】
請求項１において、前記左右一対のベースを連結する連結材を有し、この連結材が、前記ベースと機械的に接合されていることを特徴とする乗客コンベア。
【請求項４】
請求項１において、前記左右一対のベースの前記踏段側へ突出する部分の先端には、スカートガードが機械的に接合されていることを特徴とする乗客コンベア。
【請求項５】
請求項１において、前記左右一対のベースの下部には、油受が機械的に接合されていることを特徴とする乗客コンベア。
【請求項６】
請求項１乃至５のいずれかにおいて、前記機械的な接合は、ボルト又はリベットを用いた接合であることを特徴とする乗客コンベア。
【発明の詳細な説明】
【技術分野】
【０００１】
本発明は、エスカレーターや動く歩道などの乗客コンベアに係り、特に、その枠体の構成に関する。
【背景技術】
【０００２】
図１は、従来のエスカレーターの構造を示した断面図である。この図１に示す通り、従来では、上弦材１６と下弦材１７と縦材１８とがＬ形鋼を用いて形成されると共に、これらを溶接することによって側面フレーム２２Ｓが構成される。尚、図示は省略しているが、左側にも同様の側面フレームが配置される。そして、左右の側面フレームを溶接によって連結材１９，３０で連結し、エスカレーターの枠体４を構成している。
【０００３】
ここで、側面フレーム２２Ｓには、スカートガードブラケット３１，往路側レールブラケット３２，帰路側レールブラケット３３，３４が溶接により固定され、スカートガード１４，往路側レール１２ａ，帰路側レール１２ｂ，１２ｃが取り付けられる。また、油受１５は、連結材３０に溶接で固定される。
【０００４】
このように、従来の枠体４は、Ｌ形鋼を溶接して構成される側面フレームに対して、踏段走行用レール等を固定するためのブラケットが溶接で接合されているので、溶接熱によるブラケット類の変形が発生し、そのまま踏段走行用レール等を取り付けると傾いてしまう問題がある。この為、通常は、踏段走行レール等とブラケットとの間にライナーを設けることによって、傾きがなくなるよう時間をかけて調整していた。
【０００５】
その他、エスカレーターの枠体の例としては、下記文献のように、成形鋼板に補強部材やオイルパンをスポット溶接で接合し、補強部材間に中横梁を配置して溶接した構成が知られている。
【０００６】
【特許文献１】実公昭５８−４２３７３号公報（図５等）
【発明の開示】
【発明が解決しようとする課題】
【０００７】
従来のように、枠体を形成するために各部材をスポット溶接などの方法で溶接してしまうと、熱影響により、部材が変形してしまうため、欄干や踏段走行用レールを取り付ける際には、調整用のライナーが必要となり、組立てに時間がかかってしまう。また、溶接で一体化されているため、リニューアルする場合に大規模な作業が必要となり、解体する場合にもガスバーナなどの熱を使用しなければ細かく分割できず、結果的に環境への負荷が高い乗客コンベアとなっていた。
【０００８】
したがって、本発明の目的は、組立性が良く、リニューアルや解体を容易に行うことのできる乗客コンベアを提供することにある。
【課題を解決するための手段】
【０００９】
建築構造物に設置された枠体と、この枠体の長手方向両端部に設けた乗降床と、これら乗降床間を無端状に連結されて循環回動する踏段と、この踏段を駆動する駆動装置と、前記踏段の回動方向に沿って左右に対向する欄干を備えた乗客コンベアにおいて、前記枠体は、左右一対の鋼板と、少なくとも踏段走行用レールの取付面を有する左右一対のベースを備え、前記左右一対の鋼板は上面と側面と下面とを有し、前記鋼板と前記ベースとを前記上面と前記側面と前記下面の３方向で機械的に接合した。
【発明の効果】
【００１０】
本発明によれば、組立性が良く、リニューアルや解体を容易に行うことのできる乗客コンベアを提供できる。
【発明を実施するための最良の形態】
【００１１】
本発明における実施例として、乗客コンベアの一種であるエスカレーターについて、図２〜図４を用いて説明する。
【００１２】
本実施例におけるエスカレーターは、その側面を示す図２の通り、建築構造物に設置された枠体４と、この枠体４の長手方向両端部に設けた乗降床７１，７２と、これら乗降床７１，７２間を無端状に連結されて循環移動する踏段８と、この踏段８を駆動する駆動装置と、踏段８の回動方向に沿って左右に対向する欄干６を備えている。そして、本実施例の枠体４は、薄鋼板等で成形された分割フレーム２１，２２，２３，２４を継ぎ部材３Ａで連結して構成されており、上階５１と下階５２との間に跨って設置されている。
【００１３】
次に、図３は図２のＩ−Ｉに沿う断面を示す図である。この図３に示す通り、本実施例のエスカレーターの枠体４は、分割フレーム２２の他、欄干部品やレール部品の取付面を有するベース９を備えており、この分割フレーム２２とベース９とを機械的に接合して構成されている。具体的には、分割フレーム２２の上面と側面と下面の３方向で、ボルト又はリベットによりベース９と固定されている。
【００１４】
ここで、ベース９は、往路側の踏段８の上部近傍の高さにおいて、踏段８側へ略水平方向に突出し、その突出部の先端にスカードガード取付面９ａが設けられている。また、このベース９の中間高さ付近には踏段走行用レールの取付面９ｂが、ベース９の下部付近には油受取付面９ｅが、それぞれ設けられている。そして、ベース９のスカートガード取付面９ａに対してスカートガード１４がボルト固定や差し込む方法等で機械的に接合され、ベース９の踏段走行用レール取付面に対して踏段走行用レールがボルト等で機械的に接合され、ベース９の油受取付面９ｅに対して油受１５がボルト等で機械的に接合されている。このように、踏段走行用レール等が、溶接等を行わず、機械的に接合させて一体としているので、ライナーを設けてレールの位置等を調整する作業が不要となり、組立時間が短縮できる。
【００１５】
また、踏段走行用レールは、往路側レール１２ａと帰路側レール１２ｂ，１２ｃとから構成されている。ここで、往路側レール１２ａについては、踏段８の前輪と後輪に共通のものであるが、帰路側レール１２ｂ，１２ｃについては、踏段８の後輪用のもの（１２ｂ）と前輪用のもの（１２ｃ）とが別々に設置されている。したがって、ベース９は、往路側の踏段８の下部付近の高さにおいて、踏段８側へ略水平方向に突出し、往路側レール取付面９ｂが設けられている。更に、このベース９は、帰路側の踏段８の上部付近の高さ及び中間高さ付近においても、踏段８側へ略水平方向に突出し、それぞれ帰路側レール取付面９ｃと帰路側レール取付面９ｄが設けられている。
【００１６】
そして、図示は省略するが、図３の左側にも対称に分割フレーム２２とベース９が配置されており、連結部材１０，１１を用いて、左右一対の分割フレーム２２をボルト等で機械的に接合すると共に左右一対のベース９もボルト等で機械的に接合している。また、分割フレーム２２の上面には、欄干６を取り付ける為の欄干ベース１３が設けられ、この欄干ベース１３にカバー６ａ，６ｂが取り付けられている。
【００１７】
次に、図４は、図２のII−IIに沿う分割フレーム２２，２３の接続部分の断面を示す図である。図４のように、分割フレーム２２と隣り合う分割フレーム２３を継ぎ部材３Ａ，３Ｂにて挟んでボルト６０で固定したのである。
【００１８】
このように、本実施例では、分割フレーム２１〜２４やベース９等を、溶接を用いず、ボルト等により機械的に固定したので、精度良く組立てができ、経年的に古くなりリニューアルや解体を行う場合でも、その作業を容易に行うことが可能である。また、火気を使わずにリニューアルや解体ができるので、火災の危険性も低下する。更に、踏段走行用レール等を設置するためのブラケットが不要になるので、全体の部品点数も低減できる。
【００１９】
尚、枠体４全部を、薄鋼板で形成された分割フレーム２１〜２４で構成しなくても、中間の傾斜部分だけ面板構造とし、上下の水平部分については、通常のＬ形鋼を組合せたトラス構造としても構わない。また、本実施例では、隣接する踏段の間に段差が生じるエスカレーターについて説明したが、段差の生じない、動く歩道に本構造を適用しても良い。
【図面の簡単な説明】
【００２０】
【図１】従来のエスカレーターの構造を示す断面図である。
【図２】本実施例におけるエスカレーターの側面を示す図である。
【図３】図２のＩ−Ｉに沿う断面を示す図である。
【図４】図２のII−IIに沿う分割フレームの接続部分の断面を示す図である。
【符号の説明】
【００２１】
３Ａ，３Ｂ  継ぎ部材
４  枠体
６  欄干
８  踏段
９  ベース
９ａ  スカートガード取付面
９ｂ  往路側レール取付面
９ｃ，９ｄ  帰路側レール取付面
９ｅ  油受取付面
１０，１１  連結部材
１２ａ  往路側レール
１２ｂ，１２ｃ  帰路側レール
１３  欄干ベース
１４  スカートガード
１５  油受
１６  上弦材
１７  下弦材
１８  縦材
１９，３０  連結材
２１，２２，２３，２４  分割フレーム
３１  スカートガードブラケット
３２  往路側レールブラケット
３３，３４  帰路側レールブラケット
５１  上階
５２  下階
７１，７２  乗降床
【図１】
0005314920.tif 000002
【図２】
0005314920.tif 000003
【図３】
0005314920.tif 000004
【図４】
0005314920.tif 000005